(57)【要約】【課題】画像中の一部の領域を削除した後において、残存する画像の整合性を維持するための技術を提供する。【解決手段】画像形成装置は、印刷媒体の所定の印刷領域内に画像を形成して印刷物として出力する画像形成部と、印刷物上の画像を読み取って少なくとも１つのページ画像を含む読取画像を表す画像データを生成する画像読取部と、読取画像を解析し、読取画像から筆記具を使用して描かれた指示画像を抽出する画像抽出部と、抽出された指示画像を認識し、認識結果に基づいて編集内容を決定する画像解析部と、決定された編集内容に基づいて読取画像の中の一部の領域を削除し、削除後に残存する画像である残存画像の整合性を維持するための編集を実行する画像処理部とを備える。【選択図】図１
2018195924.tif 000002
【特許請求の範囲】
【請求項１】
印刷媒体の所定の印刷領域内に画像を形成して印刷物として出力する画像形成部と、
前記印刷物上の画像を読み取って少なくとも１つのページ画像を含む読取画像を表す画像データを生成する画像読取部と、
前記読取画像を解析し、前記読取画像から筆記具を使用して描かれた指示画像を抽出する画像抽出部と、
前記抽出された指示画像を認識し、前記認識結果に基づいて編集内容を決定する画像解析部と、
前記決定された編集内容に基づいて前記読取画像の中の一部の領域を削除し、前記削除後に残存する画像である残存画像の整合性を維持するための編集を実行する画像処理部と、
を備える画像形成装置。
【請求項２】
請求項１に記載の画像形成装置であって、
前記画像抽出部は、前記読取画像の各画像領域の順序を表している記号を抽出し、
前記画像処理部は、前記抽出された記号が含まれている画像領域の削除に応じて、前記残存画像の各画像領域の順序を表している記号の整合性を維持するように記号を変更する画像形成装置。
【請求項３】
請求項２に記載の画像形成装置であって、
前記画像抽出部は、前記記号としてページ番号を抽出し、
前記画像解析部は、前記指示画像が表示されているページのページ画像の削除を、前記指示画像が意図していると認識した場合には、前記画像の中から前記ページ画像を削除することを前記編集内容として決定し、
前記画像処理部は、前記画像の中から前記ページ画像を削除し、前記削除されたページ画像よりも後のページ画像のページ番号を繰り上げることによって前記整合性を維持する画像形成装置。
【請求項４】
請求項３に記載の画像形成装置であって、
前記画像処理部は、前記削除されたページ画像に含まれているページ番号を表す画像であるページ番号画像を使用し、前記ページ番号画像が配置されるページを変更することによって前記整合性を維持する画像形成装置。
【請求項５】
請求項４に記載の画像形成装置であって、
前記読取画像は、複数のページ画像を含み、
前記画像抽出部は、前記複数のページ画像において共通に表示されている共通画像と前記ページ番号画像とを含む所定の領域を抽出し、
前記画像処理部は、前記共通画像の位置が相互に一致するように前記所定の領域を貼り付けることによって前記ページ番号画像が配置されるページを変更する画像形成装置。
【請求項６】
請求項２に記載の画像形成装置であって、
前記画像抽出部は、前記記号として表の項目番号を抽出し、
前記画像解析部は、前記指示画像が表示されている項目番号の行の削除を、前記指示画像が意図していると認識した場合には、前記画像の中から前記項目番号の行の画像を削除することを前記編集内容として決定し、
前記画像処理部は、前記画像の中から前記項目番号の行の画像を削除し、前記削除された項目番号の行よりも後の項目番号の行の項目番号を繰り上げることによって前記整合性を維持する画像形成装置。
【請求項７】
請求項６に記載の画像形成装置であって、
前記画像処理部は、前記削除された項目に含まれている項目番号を表す画像である項目番号画像を使用し、前記項目番号画像が配置される項目を変更することによって前記整合性を維持する画像形成装置。
【請求項８】
請求項７に記載の画像形成装置であって、
前記画像抽出部は、前記表において前記項目番号画像と前記項目の画像の周囲の枠線とを含む所定の領域を抽出し、
前記画像処理部は、前記枠線の位置が相互に一致するように前記項目番号画像を貼り付けることによって前記項目番号画像が配置されるページを変更する画像形成装置。
【請求項９】
印刷媒体の所定の印刷領域内に画像を形成して印刷物として出力する画像形成工程と、
前記印刷物上の画像を読み取って少なくとも１つのページ画像を含む読取画像を表す画像データを生成する画像読取工程と、
前記読取画像を解析し、前記読取画像から筆記具を使用して描かれた指示画像を抽出する画像抽出工程と、
前記抽出された指示画像を認識し、前記認識結果に基づいて編集内容を決定する画像解析工程と、
前記決定された編集内容に基づいて前記読取画像の中の一部の領域を削除し、前記削除後に残存する画像である残存画像の整合性を維持するための編集を実行する画像処理工程と、
を備える画像形成方法。
【請求項１０】
印刷媒体の所定の印刷領域内に画像を形成して印刷物として出力する画像形成部と、前記印刷物上の画像を読み取って少なくとも１つのページ画像を含む読取画像を表す画像データを生成する画像読取部とを有する画像形成装置を制御する画像形成プログラムであって、
前記読取画像を解析し、前記読取画像から筆記具を使用して描かれた指示画像を抽出する画像抽出部、
前記抽出された指示画像を認識し、前記認識結果に基づいて編集内容を決定する画像解析部、及び
前記決定された編集内容に基づいて前記読取画像の中の一部の領域を削除し、前記削除後に残存する画像である残存画像の整合性を維持するための編集を実行する画像処理部として前記画像形成装置を機能させる画像形成プログラム。
【発明の詳細な説明】
【技術分野】
【０００１】
本発明は、画像形成装置、画像形成方法及び画像形成プログラムに関し、特に印刷媒体上に形成された画像に重畳して筆記具等で記入された画像に基づいて画像を編集する技術に関する。
【背景技術】
【０００２】
画像形成装置において、印刷媒体上に形成された画像に重畳して筆記具等で記入された指示画像に基づいて文書画像を編集する技術が提案されている。具体的には、たとえば特許文献１は、印刷物を読み取ることで，その画像中の中間調の線分（例えば、マーカーペンや専用のペン等の線）で囲まれた領域を認識すると共に，予め画像形成装置側に記憶される原稿の画像データのうち中間調の線分で囲まれた領域に対応する領域の内部或いは外部の画像データに適宜の処理（たとえば削除や単一色への置換）を施す技術を提案している。
【先行技術文献】
【特許文献】
【０００３】
【特許文献１】特開２００５−１６７８７５号公報
【発明の概要】
【発明が解決しようとする課題】
【０００４】
しかしながら、従来技術は、画像中の一部の領域を削除した後において、残存する画像の整合性の問題については十分に検討されていなかった。
【０００５】
本発明は、このような状況に鑑みてなされたものであり、画像中の一部の領域を削除した後において、残存する画像の整合性を維持するための技術を提供することを目的とする。
【課題を解決するための手段】
【０００６】
本発明の画像形成装置は、印刷媒体の所定の印刷領域内に画像を形成して印刷物として出力する画像形成部と、前記印刷物上の画像を読み取って少なくとも１つのページ画像を含む読取画像を表す画像データを生成する画像読取部と、前記読取画像を解析し、前記読取画像から筆記具を使用して描かれた指示画像を抽出する画像抽出部と、前記抽出された指示画像を認識し、前記認識結果に基づいて編集内容を決定する画像解析部と、前記決定された編集内容に基づいて前記読取画像の中の一部の領域を削除し、前記削除後に残存する画像である残存画像の整合性を維持するための編集を実行する画像処理部とを備える。
【０００７】
本発明の画像形成方法は、印刷媒体の所定の印刷領域内に画像を形成して印刷物として出力する画像形成工程と、前記印刷物上の画像を読み取って少なくとも１つのページ画像を含む読取画像を表す画像データを生成する画像読取工程と、前記読取画像を解析し、前記読取画像から筆記具を使用して描かれた指示画像を抽出する画像抽出工程と、前記抽出された指示画像を認識し、前記認識結果に基づいて編集内容を決定する画像解析工程と、前記決定された編集内容に基づいて前記読取画像の中の一部の領域を削除し、前記削除後に残存する画像である残存画像の整合性を維持するための編集を実行する画像処理工程とを備える。
【０００８】
本発明は、印刷媒体の所定の印刷領域内に画像を形成して印刷物として出力する画像形成部と、前記印刷物上の画像を読み取って少なくとも１つのページ画像を含む読取画像を表す画像データを生成する画像読取部とを有する画像形成装置を制御する画像形成プログラムを提供する。前記画像形成プログラムは、前記読取画像を解析し、前記読取画像から筆記具を使用して描かれた指示画像を抽出する画像抽出部、前記抽出された指示画像を認識し、前記認識結果に基づいて編集内容を決定する画像解析部、及び前記決定された編集内容に基づいて前記読取画像の中の一部の領域を削除し、前記削除後に残存する画像である残存画像の整合性を維持するための編集を実行する画像処理部として前記画像形成装置を機能させる。
【発明の効果】
【０００９】
本発明によれば、画像中の一部の領域を削除した後において、残存する画像の整合性を維持するための技術を提供する。
【図面の簡単な説明】
【００１０】
【図１】本発明の第１実施形態に係る画像形成システム１０の全体構成を示す概略構成図である。
【図２】第１実施形態に係る画像形成処理手順の内容を示すフローチャートである。
【図３】第１実施形態に係る特定画像処理の内容を示す説明図である。
【図４】第１実施形態に係る特定画像処理の内容を示すフローチャートである。
【図５】第１実施形態に係る画像解析処理の内容を示すフローチャートである。
【図６】第１実施形態に係る画像編集処理の内容を示す説明図である。
【図７】第２実施形態に係る画像編集処理の内容の一例を示す説明図である。
【図８】第２実施形態に係る画像編集処理の内容の他の例を示す説明図である。
【発明を実施するための形態】
【００１１】
以下、本発明を実施するための形態（以下、「実施形態」という）を、図面を参照して以下の順序で説明する。
Ａ．第１実施形態：
Ｂ．第２実施形態：
Ｃ．変形例：
【００１２】
Ａ．第１実施形態：
図１は、本発明の第１実施形態に係る画像形成システム１０の機能構成を示すブロックダイアグラムである。画像形成システム１０は、画像形成装置１００と、パーソナルコンピュータ（ＰＣ）２００とを備えている。画像形成装置１００は、制御部１１０と、画像読取部１２０と、画像形成部１３０と、記憶部１４０と、通信インターフェース部（通信Ｉ／Ｆとも呼ばれる。）１５０と、操作表示部１６０とを備えている。
【００１３】
制御部１１０は、画像抽出部１１１と、画像解析部１１２と、画像処理部１１３とを備えている。画像形成部１３０は、画像データに基づいて印刷媒体上に画像を形成して印刷物を出力することができる。パーソナルコンピュータ２００は、通信インターフェース部１５０を使用して画像形成装置１００に接続されている。
【００１４】
制御部１１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、画像形成装置１００全体を制御する。
【００１５】
操作表示部１６０は、タッチパネルとして機能し、様々なメニューを入力画面として表示する。操作表示部１６０は、各種ボタンやスイッチ（図示せず）からユーザーの操作入力を受け付ける。
【００１６】
記憶部１４０は、非一時的な記録媒体であるハードディスクドライブやフラッシュメモリー等からなる記憶装置で、制御部１１０が実行する処理の制御プログラムやデータを記憶する。記憶部１４０は、さらに画像認識データベース１４１を記憶し、画像データ一時保管領域１４２を有している。
【００１７】
図２は、第１実施形態に係る画像形成処理手順の内容を示すフローチャートである。図３は、第１実施形態に係る特定画像処理の内容を示す説明図である。ステップＳ１００では、ユーザーは、通常印刷処理を実行する。通常印刷処理では、ユーザーは、パーソナルコンピュータ２００からの印刷ジョブの送信、あるいは画像読取部１２０を使用した複写処理として印刷処理を実行することができる。
【００１８】
ステップＳ２００では、画像形成装置１００は、画像データ保存処理を実行する。画像データ保存処理では、印刷処理において生成されたビットマップ画像データを画像データ一時保管領域１４２に記憶する。これにより、画像形成装置１００は、画像データ一時保管領域１４２に記憶されたビットマップ画像データを使用して紙詰まり等において迅速に再印刷を可能とする。
【００１９】
ステップＳ３００では、画像形成装置１００は、印刷物出力処理を実行する。印刷物出力処理では、画像形成部１３０は、印刷媒体の所定の印刷領域内に画像を形成して印刷物として出力する。これにより、画像形成装置１００は、５ページの印刷物Ｐ１〜Ｐ５（編集前）を出力する（図３参照）。
【００２０】
ステップＳ４００では、ユーザーは、印刷設定処理を実行する。印刷設定処理では、ユーザーは、画像形成装置１００の作動モードを手書き編集モードに設定する。操作表示部１６０は、印刷物に対する手書きの内容と編集内容に関するインストラクションを表示する。この例では、操作表示部１６０は、たとえば印刷物のページの全体にＸ印を描く（「記入」とも表現される。）すると、そのページを削除する編集処理が行われることを表示する。
【００２１】
ステップＳ５００では、ユーザーは、手書き処理を実行する。手書き処理を実行では、ユーザーは、印刷物を編集するための予め設定されている記号を手書きで記入する。具体的には、ユーザーは、図３に示されるように、印刷物の２ページ目のページ画像Ｐ２に筆記具を用いて手書きでＸ印を大きく描いて、ページ画像Ｐ２ｘとしている。
【００２２】
図４は、第１実施形態に係る特定画像処理の内容を示すフローチャートである。この例では、ユーザーは、Ａ乃至Ｅの文字が画像として印刷媒体上に形成された５ページの印刷物から２ページ目を削除して４ページの印刷物とすることを意図するものとする。特定画像処理とは、筆記具を使用して手書きで印刷物に編集指示を可能とする画像処理である。
【００２３】
ステップＳ６００では、画像形成装置１００は、特定画像処理を実行する。ステップＳ６１０では、ユーザーは、手書き原稿読取処理を実行する。この例では、ユーザーは、画像読取部１２０を使用し、手書き処理がなされた印刷物の２ページ目のページ画像Ｐ２ｘのみを読み取って読取画像を表す画像データを生成するものとする。ステップＳ６２０では、制御部１１０は、画像解析処理を実行する。なお、ユーザーは、手書き処理がなされていない印刷物を含めて全ページの読取りを行うようにしてもよい。
【００２４】
図５は、第１実施形態に係る画像解析処理の内容を示すフローチャートである。図６は、第１実施形態に係る画像編集処理の内容を示す説明図である。ステップＳ６２１では、画像抽出部１１１は、周辺共通画像抽出処理を実行する。周辺共通画像抽出処理では、画像抽出部１１１は、印刷物の１ページ乃至５ページのページ画像Ｐ１〜Ｐ５の周辺領域に配置されている共通画像を抽出する。
【００２５】
画像抽出部１１１は、ページ画像Ｐ１〜Ｐ５の予め設定されている周辺領域において同一画像の検出を試みる。具体的には、周辺領域は、図６に示されるように、たとえば印刷物の各ページの周端部Ｅと、境界線Ｐとの間の領域として設定することができる。周辺領域は、所定の印刷領域内においてヘッダー領域Ｈ、フッター領域Ｆ及び外枠線の存在が想定されているフレーム状（枠状）の領域である。
【００２６】
この例では、印刷物の１ページ目のフッター領域Ｆには、１ページ目を表す数字表示Ｖ１（数字の「１」を表している。）と、その両脇の一対の横線ＦＬとが表示されている。さらに、印刷物の２乃至５ページ目のページ画像Ｐ２〜Ｐ５のフッター領域Ｆにおいては、それぞれ数字の「２」乃至「５」を表す数字表示と、その両脇の一対の横線ＦＬとが表示されている（図３参照）。
【００２７】
画像抽出部１１１は、共通画像として一対の横線ＦＬを共通画像として抽出する。画像抽出部１１１は、たとえば印刷物の１乃至５ページ目のページ画像Ｐ１〜Ｐ５のフッター領域Ｆの画像を相互比較してパターンマッチングによって一対の横線ＦＬを共通画像として抽出することができる。
【００２８】
ステップＳ６２２では、画像抽出部１１１は、変動要素抽出処理を実行する。変動要素抽出処理では、画像抽出部１１１は、たとえば印刷物の１乃至５ページ目のフッター領域Ｆの画像に対してＯＣＲ処理を実行し、予め設定されている規則（たとえば数字の昇順やアルファベット順といった順序）に従っている画像を抽出することができる。
【００２９】
この例では、画像抽出部１１１は、ページ画像Ｐ１〜Ｐ５のページ番号を表す画像であるページ番号画像が予め設定されている規則に従っている変動要素として抽出する。ページ画像Ｐ１〜Ｐ５は、ページ番号画像によって順序が表されている各画像領域と認識される。
【００３０】
ステップＳ６２３では、画像解析部１１２は、手書き内容特定処理を実行する。手書き内容特定処理では、画像解析部１１２は、画像データ一時保管領域１４２に記憶されているビットマップ画像データによって表される５ページのページ画像Ｐ１〜Ｐ５（手書き前）と、手書き後の読取りで生成されたビットマップ画像データによって表されるページ画像Ｐ２ｘ（手書き後）とを順に比較し、一致する画像領域が最も多い画像（この例ではページ画像Ｐ２）を選択する。
【００３１】
画像解析部１１２は、２ページ目のページ画像Ｐ２（手書き前）と、手書き後のページ画像Ｐ２ｘ（手書き後）との差分として差分画像Ｗ１を生成する（画像比較処理）。これにより、画像解析部１１２は、手書きの指示画像ＨＷ１として抽出することができる。
【００３２】
ステップＳ６２４では、画像解析部１１２は、パターン認識処理を実行する。パターン認識処理では、画像解析部１１２は、画像認識データベース１４１に格納されているテンプレート画像（図示略）との比較によるテンプレートマッチング処理を実行する。画像認識データベース１４１では、各テンプレート画像には、各種の編集内容が紐付けられているものとする。
【００３３】
ステップＳ６２５では、画像解析部１１２は、編集内容決定処理を実行する。編集内容決定処理では、画像解析部１１２は、特定された編集内容（この例ではページ削除）に基づいて、編集対象となるページと、編集方法とを決定する。
【００３４】
この例では、編集内容は、１ページ目のページ画像Ｐ１は変更なし、２ページ目のページ画像Ｐ２は削除、３ページ目のページ画像Ｐ３はフッター領域Ｆのページ番号の数字表示を「３」から「２」に変更して２ページ目に繰り上げてページ画像Ｐ２ａとし、４ページ目のページ画像Ｐ４はフッター領域Ｆのページ番号の数字表示を「４」から「３」に変更して３ページ目に繰り上げてページ画像Ｐ３ａとし、５ページ目のページ画像Ｐ５はフッター領域Ｆのページ番号の数字表示を「５」から「４」に変更して４ページ目に繰り上げてページ画像Ｐ４ａとする編集に決定される。ページ画像Ｐ１、Ｐ３〜Ｐ５は、ページ画像Ｐ２を削除した後に残存する残存画像とも呼ばれる。
【００３５】
ステップＳ６３０（図４）では、画像処理部１１３は、画像編集処理を実行する。画像編集処理では、画像処理部１１３は、以下の画像処理を実行する。すなわち、画像処理部１１３は、２ページ目のページ画像Ｐ２を削除する。次に、画像処理部１１３は、３ページ目のページ画像Ｐ３のフッター領域Ｆのページ番号の数字表示Ｖ３の「３」とその両脇の一対の横線ＦＬを白塗りとし、２ページ目のフッター領域Ｆのページ番号の数字表示Ｖ２ａの「２」とその両脇の一対の横線ＦＬの画像を貼り付ける（図６参照）。画像処理部１１３は、４ページ目と５ページ目についても同様の処理を実行する。
【００３６】
数字表示Ｖ２ａの画像を貼り付ける位置は、共通画像として抽出された一対の横線ＦＬが一致する位置に調整される。具体的には、画像処理部１１３は、たとえば３ページ目のフッター領域Ｆのページ番号の数字表示をＶ３の「３」とその両脇の一対の横線ＦＬを白塗りとする前に、２ページ目のフッター領域Ｆのページ番号の数字表示Ｖ２ａの「２」の両脇の一対の横線ＦＬが、数字表示Ｖ３の「３」の両脇の一対の横線ＦＬと一致するための位置を決定する。次に画像処理部１１３は、数字表示Ｖ３の「３」とその両脇の一対の横線ＦＬ白塗りとした後に、決定された位置に数字表示Ｖ２ａの「２」の両脇の一対の横線ＦＬを貼り付ける。これにより、画像処理部１１３は、違和感を与えないようなページ番号の更新を実現することができ、ページ番号の桁数（たとえば桁数２の「１０」から桁数１の「９」）が変化しても対応可能である。
【００３７】
ステップＳ６４０では、制御部１１０は、編集後の１ページから４ページまでの画像を操作表示部１６０に表示する。これにより、ユーザーは、手書き指示による編集内容が編集指示の意図通りであることを確認することができる。
【００３８】
ステップＳ６５０では、ユーザーは、編集内容が意図通りであることが確認できなかった場合には、手書き内容の修正や追加を行って（手書き内容修正処理：ステップＳ６６０）、処理をステップＳ６１０に戻し、編集内容が意図通りであることが確認できた場合には、処理をステップＳ６７０に進める。ステップＳ６７０では、ユーザーは、たとえば操作表示部１６０のＯＫアイコン（図示略）をタッチすることによって編集承認操作を行うことができる。
【００３９】
ステップＳ７００（図２参照）では、画像形成部１３０は、編集後の画像データに基づいて印刷媒体上に画像を形成して印刷物を出力することができる。
【００４０】
このように、第１実施形態に係る画像形成装置１００は、印刷物に手書き指示を記入することによって、ページを削除するとともにフッターのページ番号をリナンバー（更新）することができる。これにより、ユーザーは、パーソナルコンピュータ２００を使用することなく、簡易に印刷物の誤りを修正することができる。さらに、ユーザーは、たとえば外部に提示する資料の印刷において簡単に機密事項を削除することもできる。
【００４１】
Ｂ．第２実施形態：
図７は、第２実施形態に係る画像編集処理の内容の一例を示す説明図である。第２実施形態は、表の一部を削除するための画像編集を行う点で、複数のページ画像から構成される画像データのページを削除している第１実施形態と相違している。
【００４２】
図７（ａ）は、編集対象となる表Ｔ１の画像を示している。図７（ｂ）は、手書きの指示画像ＨＷ２が記入された表Ｔ２の画像を示している。この例では、指示画像ＨＷ２は、表Ｔ１の項目名（購入先及び価格）のマスを外して、購入先及び価格のカラムのデータを横切ってＸ印として手書きで記入されている。この場合、変形例に係る画像処理部は、表Ｔ１の画像を編集して表Ｔ３の画像とする。表Ｔ３の画像では、Ｔ１の画像から購入先及び価格のデータが削除され、空白の枠線が残されている。
【００４３】
このように、表Ｔ３の画像は、Ｔ１の画像から購入先及び価格のデータが削除された後に、他の項目（番号、品名、適用仕様書及び備考）の枠線との整合性を維持するための空白の枠線が残されている。
【００４４】
図８は、第２実施形態に係る画像編集処理の内容の他の例を示す説明図である。図８（ａ）は、指示画像ＨＷ３が記入された表Ｔ４の画像を示している。この例では、指示画像ＨＷ３は、表Ｔ１（図７（ａ）参照）の項目名（購入先及び価格）のマス及びデータを横切ってＸ印として手書きで記入されている。
【００４５】
この場合、変形例に係る画像処理部は、表Ｔ４の画像を編集して表Ｔ５の画像とする。表Ｔ５の画像では、表Ｔ１の画像から購入先及び価格の項目名がデータとともにカラム全体として削除されている。この場合、表Ｔ５の画像では、表Ｔ１の画像から購入先及び価格がカラム全体として削除された後に、適用仕様書のカラムの側に備考のカラム（単に列とも呼ばれる。）を移動させることによって適用仕様書のカラムと隣接させて配置している。
【００４６】
図８（ｃ）は、指示画像ＨＷ４が記入された表Ｔ６の画像を示している。この例では、指示画像ＨＷ４は、項目番号３のデータベースレコード（単に行とも呼ばれる。）を横切る横線として手書きで記入されている。
【００４７】
この場合、変形例に係る画像処理部は、表Ｔ６の画像を編集して表Ｔ７の画像とする。表Ｔ７の画像では、項目番号３のデータベースレコードが削除されている。この場合、表Ｔ７の画像は、項目番号３のデータベースレコードが削除された後に、他の項目番号のデータベースレコードの相互間（この例では、項目番号２，４のデータベースレコード）の整合性を維持するための番号が連番となるように更新されている（図８（ｄ）参照）。
【００４８】
項目番号の更新は、項目番号の周囲の枠線の位置が一致するように項目番号を表す項目番号画像を貼り付けることによって行われる。項目番号１〜６は、項目番号画像によって順序が表されている各画像領域である。
【００４９】
このように、第２実施形態に係る画像形成装置１００は、印刷物に手書き指示を記入することによって、枠線の整合性を維持しつつ表の一部を削除することができる。画像形成装置１００は、さらに項目番号を更新して整合性を維持することもできる。これにより、ユーザーは、パーソナルコンピュータ２００を使用することなく、簡易に印刷物の誤りを修正することができる。さらに、ユーザーは、たとえば外部に提示する資料の印刷において簡単に表の一部を削除することもできる。
【００５０】
Ｃ．変形例：
本発明は、上記実施形態だけでなく、以下のような変形例でも実施することができる。
【００５１】
変形例１：本発明の画像処理部は、２ページを１ページに集約する場合にも適用可能である。具体的には、画像処理部は、たとえば１ページに集約された２ページの一方を削除して、ページを繰り上げて空白を埋めるような編集も可能である。
【００５２】
このように、本発明で利用可能な画像処理部は、画像中の一部の領域を削除した後において、残存する画像の整合性を維持するように構成されていればよい。
【００５３】
変形例２：上記各実施形態では、画像データ一時保管領域１４２に記憶された画像との差分画像を生成することによって指示画像を抽出しているが、このような方法に限られず、たとえば手書き指示の記入に使用される筆記具によって生成される手書きの色の特性（たとえば濃度（所定の中間調）や色相）を使用して指示画像を抽出するようにしてもよい。手書きの色の特性は、たとえば予め画像の読取りによって登録しておくことによって抽出精度を高めることもできる。
【符号の説明】
【００５４】
１０    画像形成システム
１００    画像形成装置
２００    パーソナルコンピュータ
１１０    制御部
１１１    画像抽出部
１１２    画像解析部
１１３    画像処理部
１２０    画像読取部
１３０    画像形成部
１４０    記憶部
１４１    画像認識データベース
１４２    画像データ一時保管領域
１５０    通信インターフェース部
１６０    操作表示部
【図１】
2018195924.tif 000003
【図２】
2018195924.tif 000004
【図３】
2018195924.tif 000005
【図４】
2018195924.tif 000006
【図５】
2018195924.tif 000007
【図６】
2018195924.tif 000008
【図７】
2018195924.tif 000009
【図８】
2018195924.tif 000010